(57)【要約】【課題】書込み処理および読取処理を正確に行なうこと。【解決手段】本発明にかかる情報装置１は、ＲＦＩＤタグの情報を非接触で読み書きするＲＦＩＤ処理部３と、二次電池７の端子電圧値を検出する電圧検出部８と、電圧検出部８が検出した二次電池７の端子電圧値とをもとにＲＦＩＤ処理部３における読取処理および書込み処理が可能であるか否かを判断する判定部１０ａを有する制御部１０を備える。制御部１０は、判定部１０ａが処理可能と判定した処理内容の開始を許可し、判定部１０ａが処理不可と判定した処理内容の開始を禁止する制御を行なう。このため、本発明にかかる情報装置１は、二次電池７の端子電圧値の低下による書込み処理および読取処理の異常動作を防止することができる。【選択図】      図１
2005352767.tif 000002
【特許請求の範囲】
【請求項１】
少なくとも情報記録媒体の情報を読み取る読取処理および前記情報記録媒体に情報を書込む書込み処理を行なう情報装置において、
電力を供給する電力供給手段と、
前記電力供給手段の電圧値を検出する検出手段と、
前記検出手段が検出した検出電圧値をもとに処理可能である処理内容を判定し、該処理可能と判定された処理内容の開始を許可する制御を行なう制御手段と、
を備えたことを特徴とする情報装置。
【請求項２】
前記制御手段は、一連の各処理内容を開始してから完了するまでに要する最低電圧値である閾値電圧値と前記検出電圧値とを比較して、処理可能である処理内容を判定することを特徴とする請求項１に記載の情報装置。
【請求項３】
前記閾値電圧値は、
前記書込み処理の開始から完了までに要する第１の前記閾値電圧値と、
前記読取処理の開始から完了までに要する第２の前記閾値電圧値と、
を含み、
前記制御手段は、前記検出電圧値が前記第１の閾値電圧値に比して高い場合、前記書込み処理が可能であると判定し、前記検出電圧値が前記第２の閾値電圧値に比して高い場合には前記読取処理が可能であると判定することを特徴とする請求項２に記載の情報装置。
【請求項４】
前記制御手段における判定内容を表示出力する表示手段と、
少なくとも前記読取処理または前記書込み処理の開始を指示する指示情報を入力する入力手段と、
を備えたことを特徴とする請求項１〜３のいずれか一つに記載の情報装置。
【請求項５】
前記電力供給手段は、二次電池であり、
前記検出手段は、前記二次電池の端子電圧値を検出することを特徴とする請求項１〜４のいずれか一つに記載の情報装置。
【発明の詳細な説明】
【技術分野】
【０００１】
この発明は、少なくとも情報記録媒体の情報を読み取る読取処理および前記情報記録媒体に情報を書込む書込み処理を行なう情報装置に関する。
【背景技術】
【０００２】
従来から、無線通信システムの１つとして、ＲＦＩＤ（Radio Frequency Identification）システムが開発されており、入退室管理、商品管理等に利用されている。ＲＦＩＤシステムでは、識別情報等が記憶されたＲＦＩＤタグを管理対象に取り付ける。そして、専用の情報装置を用い、所定周波数の電波を介してＲＦＩＤタグの識別情報を読み取る読取処理および各種情報をＲＦＩＤタグに対して書込む書込み処理を行うことによって、管理対象を管理している。このような情報装置として、動作電力を供給する電池を搭載した携帯型の情報装置が開発されている（特許文献１参照）。
【０００３】
【特許文献１】特開平１１−２３８１０３号公報
【発明の開示】
【発明が解決しようとする課題】
【０００４】
ところで、情報装置は、書込み処理において書込み情報が多い場合には、ＲＦＩＤタグに対して複数回にわたって書込み情報を送信する場合がある。しかしながら、書込み処理中に電池の端子電圧値の低下によって各構成部位への供給電圧が低下した場合、書込み処理に異常が発生し、書込み処理を正確に行なうことができないという問題があった。
【０００５】
図１０に示すように、情報装置がＲＦＩＤタグに書込む情報を情報ａ，ｂ，ｃ，ｄに分割して送信する場合について説明する。たとえば、情報ｃをＲＦＩＤタグに送信した後に供給電圧の低下が発生した場合、書込み情報のうち情報ｄの送信を行なうことができないため、書込み情報の全てをＲＦＩＤタグに対して書込むことができなかった。また、書き込みが正常に終了した旨を報知する肯定応答（ＡＣＫ応答）がＲＦＩＤタグから送信された場合であっても、情報装置は、受信機能の低下によってＡＣＫ応答を受信することができず、書込み終了が正常に終了したか否かを判断することができなかった。また、供給電圧の低下によって、情報装置の送信処理部に動作異常が発生し、送信すべき情報ｄと異なる情報ｄ'をＲＦＩＤタグに対して送信してしまう場合があった。この場合、ＲＦＩＤタグに誤った情報を書き込んでしまうという問題があった。さらに、情報装置は、供給電力低下が発生した場合であってもＲＦＩＤタグへの情報送信を継続した場合には、情報装置内部に記憶される情報の保持状態が不安定となってしまう場合があった。この場合、情報装置の電源が再度オン状態とされた場合であっても、各処理に必要な情報の喪失等によって各処理を正確に行なうことができないという問題があった。また、読取処理においても、読取処理中に読取処理部への供給電圧の低下が発生した場合、読取処理を正確に行なうことができなかった。
【０００６】
この発明は、上記した従来技術の欠点に鑑みてなされたものであり、供給電力不足に起因する書込み処理および読取処理の異常発生を防止し、正確な書込み処理および読取処理を行なう情報装置を提供することを目的とする。
【課題を解決するための手段】
【０００７】
上述した課題を解決し、目的を達成するために、この発明にかかる情報装置は、少なくとも情報記録媒体の情報を読み取る読取処理および前記情報記録媒体に情報を書込む書込み処理を行なう情報装置において、電力を供給する電力供給手段と、前記電力供給手段の電圧値を検出する検出手段と、前記検出手段が検出した検出電圧値をもとに処理可能である処理内容を判定し、該処理可能と判定された処理内容の開始を許可する制御を行なう制御手段と、を備えたことを特徴とする。
【０００８】
また、この発明にかかる情報装置は、前記制御手段は、一連の各処理内容を開始してから完了するまでに要する最低電圧値である閾値電圧値と前記検出電圧値とを比較して、処理可能である処理内容を判定することを特徴とする。
【０００９】
また、この発明にかかる情報装置は、前記閾値電圧値は、前記書込み処理の開始から完了までに要する第１の前記閾値電圧値と、前記読取処理の開始から完了までに要する第２の前記閾値電圧値と、を含み、前記制御手段は、前記検出電圧値が前記第１の閾値電圧値に比して高い場合、前記書込み処理が可能であると判定し、前記検出電圧値が前記第２の閾値電圧値に比して高い場合には前記読取処理が可能であると判定することを特徴とする。
【００１０】
また、この発明にかかる情報装置は、前記制御手段における判定内容を表示出力する表示手段と、少なくとも前記読取処理または前記書込み処理の開始を指示する指示情報を入力する入力手段と、を備えたことを特徴とする。
【００１１】
また、この発明にかかる情報装置は、前記電力供給手段は、二次電池であり、前記検出手段は、前記二次電池の端子電圧値を検出することを特徴とする。
【発明の効果】
【００１２】
本発明にかかる情報装置によれば、電力供給手段の電圧値を検出する検出手段と、検出電圧値をもとに、処理可能である処理内容を判定して、処理可能と判定された処理内容の開始を許可する制御手段とを備えることによって、処理不可と判定した処理内容を開始せず、各処理の異常処理の防止を図ることができる。このため、本発明にかかる情報装置によれば、書込み処理および読取処理を正確に行なうことができ、情報記録媒体および情報記録媒体が取り付けられた管理対象を正確に管理することが可能となる。
【発明を実施するための最良の形態】
【００１３】
以下、図面を参照して、この発明の実施の形態である情報装置について、所定周波数の電波を送受信することによってＲＦＩＤタグの情報を読み書きするＲＦＩＤ処理部を備えた情報装置を例として説明する。なお、この実施の形態によりこの発明が限定されるものではない。また、図面の記載において、同一部分には同一の符号を付している。
【００１４】
（実施の形態１）
まず、実施の形態１にかかる情報装置について説明する。本実施の形態１にかかる情報装置は、搭載される二次電池の端子電圧値と所定の閾値電圧値とを比較して処理可能である処理内容を判定し、この判定に基づいて処理の開始を許可する。
【００１５】
図１は、本実施の形態１にかかる情報装置の概略構成を示すブロック図である。図１に示すように、実施の形態にかかる情報装置１は、指示情報が入力される入力部２と、ＲＦＩＤタグの情報を読み書きするＲＦＩＤ処理を行なうＲＦＩＤ処理部３と、各種情報が記憶された記憶部４と、各種情報を表示出力する表示部５と、音声処理を行なう音声入出力部６と、電力を供給する二次電池７と、二次電池７の端子電圧値を検出する電圧検出部８と、外部装置との間の情報通信を処理する外部通信部９と、各構成部位を制御する制御部１０とを有する。ＲＦＩＤ処理部３は、所定周波数の電波を送受信するアンテナ３ａを備える。制御部１０は、電圧検出部８が検出した二次電池７の端子電圧値をもとにＲＦＩＤ処理を行なうことが可能であるか否かを判定する判定部１０ａを備える。入力部２、ＲＦＩＤ処理部３、記憶部４、表示部５、音声入出力部６、二次電池７、電圧検出部８および外部通信部９は、制御部１０に電気的に接続される。また、制御部１０は、入力部２、ＲＦＩＤ処理部３、記憶部４、表示部５、音声入出力部６、二次電池７、電圧検出部８および外部通信部９を制御する。なお、ＲＦＩＤタグとは、所定周波数の応答要求電波に応じて、蓄積した識別情報等の各種情報に対応する応答電波を送信する情報記録媒体である。このＲＦＩＤタグが蓄積する各種情報は、所定周波数の電波を介して、読出しが可能であるとともに、書き込み、書き換えが可能である。
【００１６】
入力部２は、情報装置１の動作および情報装置１が行なう処理の指示情報が入力され、各指示情報の入力を受け付けるとともに受け付けた指示情報の内容を制御部１０に送出する。
【００１７】
ＲＦＩＤ処理部３は、制御部１０の制御のもと、所定周波数の電波を送信してＲＦＩＤタグに電力供給を行なうとともに、所定周波数の電波を介してＲＦＩＤタグの情報を読み書きするＲＦＩＤ処理を行なう。ＲＦＩＤ処理として、読取処理および書込み処理がある。
【００１８】
読取処理においては、ＲＦＩＤ処理部３は、制御部１０の制御のもと、ＲＦＩＤタグの識別情報等を取得するために、ＲＦＩＤタグに対して応答を求める電気信号を必要に応じて増幅、変調し、アンテナ３ａに送出する。そして、ＲＦＩＤ処理部３は、アンテナ３ａに対して、この電気信号に対応する応答要求電波を送信させるよう制御する。ＲＦＩＤ処理部３は、アンテナ３ａを介して、ＲＦＩＤタグからの応答電波を受信する。そして、この応答電波に対応する電気信号を必要に応じて復調し、ＲＦＩＤタグに記録された識別情報等を取得する。ＲＦＩＤ処理部３は、取得した識別情報等を制御部１０に送出し、非接触による読取処理を達成する。
【００１９】
書込み処理においては、ＲＦＩＤ処理部３は、制御部１０の制御のもと、ＲＦＩＤタグに対して情報を書込むために、ＲＦＩＤタグに対して情報の書込みを求める電気信号を必要に応じて増幅、変調し、アンテナ３ａに送出する。そして、ＲＦＩＤ処理部３は、アンテナ３ａに対して、この電気信号に対応する電波を送信させて、ＲＦＩＤタグに対して非接触による書込み処理を行なう。書込み処理において、ＲＦＩＤタグに対する書込み量が多い場合には、複数回にわたって書込み情報をアンテナ３ａから送信する。また、ＲＦＩＤ処理部３は、情報の書込みが正常に終了した旨を報知するＡＣＫ応答をＲＦＩＤタグから受信することによって、書込み処理を達成する。
【００２０】
アンテナ３ａは、ＲＦＩＤ処理部３の制御のもと、通信エリア内に存在するＲＦＩＤタグとの間において、所定周波数の電波を送受信する。アンテナ３ａは、ＲＦＩＤ処理部３から入力された電気信号に対応する所定の電波をＲＦＩＤタグに対して送信する。また、アンテナ３ａは、ＲＦＩＤタグから送信された応答電波を受信し、受信した応答電波に対応する電気信号をＲＦＩＤ処理部３に送出する。
【００２１】
記憶部４は、処理プログラム等の各種データが予め記憶されたＲＯＭ（Read Only Memory）と、各処理の演算パラメータ、情報記録媒体から読み取られた各種情報、あるいは音声情報等を記憶するＲＡＭ（Random Access Memory）とを備える。また、記憶部４は、判定部１０ａにおける判定に必要な所定の閾値電圧値を記憶する。
【００２２】
表示部５は、たとえば、液晶表示装置（Liquid Crystal Display : ＬＣＤ）、有機エレクトロルミネッセンス表示装置、電流が供給される間、発光を継続する発光ダイオード（Light emitting diode : ＬＥＤ）を有し、制御部１０の制御のもと、各種情報を表示出力する。表示部５は、たとえば、書込み処理の完了、読取処理の完了、ＲＦＩＤタグに書込む書込情報、読取処理において読み取られた識別情報等を表示出力する。また、表示部５は、判定部１０ａの判定内容として、たとえば、書込み処理不可である旨および読取処理不可である旨を表示出力する。また、表示部５は、各種処理動作に関するエラーが発生した場合に、このエラーを報知する所定のエラー表示を表示出力してもよい。
【００２３】
音声入出力部６は、マイクロフォンおよびスピーカーを有し、制御部１０の制御のもと、外部からの音声情報を入力するとともに、入力した音声情報を制御部１０に送出し、制御部１０から入力された音声情報を外部に出力する。なお、音声入出力部６は、各構成部位による処理の開始または完了を報知する所定の報知音の出力および各種処理動作に関するエラーが発生した場合にエラーを報知する所定のエラー音の出力を行なってもよい。
【００２４】
二次電池７は、情報装置１の各構成部位に電力を供給する電力供給手段として機能する。二次電池７は、外部から電力を供給されることによって充電され、二次電池７の端子電圧はもとの電圧まで回復する。電圧検出部８は、検出手段として機能し、制御部１０の制御のもと、二次電池７の端子電圧の値を検出し、検出した端子電圧値を制御部１０に送出する。
【００２５】
外部通信部９は、ＲＳ２３２Ｃ、ＵＳＢ、またはＩＥＥＥ１３９４等の外部通信用インターフェース、あるいはＩｒＤＡ規格に準拠した赤外線通信インターフェース等を用いて実現され、外部のホストコンピュータ（図示せず）等に対する情報通信を行う。
【００２６】
制御部１０は、記憶部４に記憶された処理プログラムを実行するＣＰＵ（Central Processing Unit）を備える。また、入力部２、ＲＦＩＤ処理部３、記憶部４、表示部５、音声入出力部６、二次電池７、電圧検出部８および外部通信部９の各処理または動作を制御する。この場合、制御部１０は、これらの各構成部位に入出力される情報について所定の入出力制御を行い、かつ、この情報に対して所定の情報処理を行う。また、制御部１０は、外部通信部９を介して、ＲＦＩＤ処理部３から入力された情報を外部のホストコンピュータに送出し、その後、このホストコンピュータによって情報処理がなされた情報を受信してもよい。また、制御部１０は、判定部１０ａの判定結果に応じて、ＲＦＩＤ処理部３に対してＲＦＩＤ処理の開始を許可する制御を行なう。
【００２７】
判定部１０ａは、電圧検出部８によって検出された二次電池７の端子電圧値をもとに処理可能である処理内容を判定する。具体的には、判定部１０ａは、二次電池７の端子電圧値と所定の閾値電圧値とを比較することによって、情報装置１が行なう処理内容のうち、書込み処理および読取処理を行なうことができるか否かを判定する。判定部１０ａは、閾値電圧値として、書込み処理を開始してから完了までに要する電圧値Ｖ1と、読取処理を開始してから完了するまでに要する電圧値Ｖ2とを用いる。ここで、書込み処理では書込み情報と書込み指示を含む電波を送信するため、読取処理における応答要求電波と比較して送信する情報量が多い。また、書込み処理では、書込み情報が多い場合には、書込み情報を複数回にわたってＲＦＩＤタグに対して送信している。このため、書込み処理に必要とされる電圧値は、読取処理において必要とされる電圧値と比べて高い場合が多く、本実施の形態１においても、書込み処理を開始してから完了するまでに要する閾値電圧値Ｖ1を、読取処理を開始してから完了するまでに要する閾値電圧値Ｖ2よりも高いとして説明する。したがって、情報装置１では、二次電池７の端子電圧値が閾値電圧値Ｖ1以上である場合には、書込み処理または読取処理を行なうことが可能である。
【００２８】
つぎに、情報装置１が行なう処理のうち、書込み処理および読取処理の処理手順について説明する。図２は、情報装置１が読取処理および書込み処理を完了するまでの処理手順を示すフローチャートである。
【００２９】
図２に示すように、制御部１０は、入力部２から入力された指示情報をもとに、開始指示がなされた処理内容が書込み処理または読取処理であるか否かを判断する（ステップＳ１０２）。
【００３０】
制御部１０は、書込み処理が指示されたと判断した場合には（ステップＳ１０２：書込み処理）、電圧検出部８に対して、二次電池７の端子電圧値を検出させる電圧検出処理を指示する。次いで、電圧検出部８は、二次電池７の端子電圧値を検出し（ステップＳ１０４）、検出した端子電圧値Ｖｍを制御部１０に送出する。
【００３１】
そして、判定部１０ａは、電圧検出部８から入力された端子電圧値Ｖｍと、閾値電圧値Ｖ1とを比較し、Ｖｍ≧Ｖ1であるかを判断する（ステップＳ１０６）。閾値電圧値Ｖ1は、書込み処理を行なうために必要な電圧値である。このため、Ｖｍ≧Ｖ1である場合には、書込み処理を正確に行なうことが可能であり、供給電圧不足に起因する書込み処理の途中終了およびＲＦＩＤタグへの誤情報書き込みを防止することができる。一方、Ｖｍ＜Ｖ1である場合には、供給電圧不足に起因する書込み処理の異常が発生する場合があり、書込み処理を正確に行なえない。
【００３２】
したがって、判定部１０ａは、Ｖｍ≧Ｖ1であると判断した場合には（ステップＳ１０６：Ｙｅｓ）、書込み処理可能と判定し（ステップＳ１０８）、判定結果を制御部１０に送出し、制御部１０は、この結果を受けて、ＲＦＩＤ処理部３に対して書込み処理の開始を許可し、書込み処理を行なわせる（ステップＳ１１０）。
【００３３】
一方、判定部１０ａは、Ｖｍ≧Ｖ1でないと判断した場合（ステップＳ１０６：Ｎｏ）、すなわち、Ｖｍ＜Ｖ1であると判断した場合には、書込み処理不可と判定し（ステップＳ１１２）、判定結果を制御部１０に送出する。制御部１０は、この判定結果を受けて、書込み処理不可である旨を表示部５に対して表示出力させ、表示部５は、書込み処理不可である旨を表示出力する（ステップＳ１１４）。また、制御部１０は、充電が必要である旨を表示部５に対して表示出力させる場合がある。なお、この場合、制御部１０は、ＲＦＩＤ処理部３に対して書込み処理の開始を許可しない。
【００３４】
また、制御部１０は、読取処理が指示されたと判断した場合には（ステップＳ１０２：読取処理）、電圧検出部８に対して、二次電池７の端子電圧値を検出させる電圧検出処理を指示する。次いで、電圧検出部８は、二次電池７の端子電圧値を検出し（ステップＳ１２４）、検出した端子電圧値Ｖｍを制御部１０に送出する。
【００３５】
そして、判定部１０ａは、電圧検出部８から入力された端子電圧値Ｖｍと、閾値電圧値Ｖ2とを比較し、Ｖｍ≧Ｖ2であるかを判断する（ステップＳ１２６）。閾値電圧値Ｖ2は、読取処理を行なうために必要な電圧値である。したがって、Ｖｍ≧Ｖ2である場合には、供給電圧不足に起因する読取処理の途中終了を防止することができる。一方、Ｖｍ＜Ｖ2である場合には、供給電圧不足に起因する読取処理の途中終了が発生する場合があり、読取処理を正確に行なえない。
【００３６】
したがって、判定部１０ａは、Ｖｍ≧Ｖ2であると判断した場合には（ステップＳ１２６：Ｙｅｓ）、読取処理可能と判定し（ステップＳ１２８）、判定結果を制御部１０に送出する。そして、制御部１０は、この結果を受けて、ＲＦＩＤ処理部３に対して読取処理の開始を許可し、読取処理を行なわせる（ステップＳ１３０）。
【００３７】
一方、判定部１０ａは、Ｖｍ≧Ｖ2でないと判断した場合（ステップＳ１２６：Ｎｏ）、すなわち、Ｖｍ＜Ｖ2であると判断した場合には、読取処理不可と判定し（ステップＳ１３２）、判定結果を制御部１０に送出する。制御部１０は、この判定結果を受けて、読取処理および書込み処理を含むＲＦＩＤ処理不可である旨を表示部５に対して表示出力させ、表示部５は、ＲＦＩＤ処理不可である旨を表示出力する（ステップＳ１３４）。また、制御部１０は、充電が必要である旨を表示部５に対して表示出力させる場合がある。この場合、制御部１０は、ＲＦＩＤ処理部３に対して読取処理の開始を許可しない。
【００３８】
このように、実施の形態１にかかる情報装置１は、電圧検出部８に検出された二次電池７の端子電圧値をもとに書込み処理および読取処理が可能であるか否かを判断し、処理可能であると判断した場合に書込み処理および読取処理を行なっている。
【００３９】
つぎに、書込み処理について説明する。図３は、書込み処理を達成するまでの処理手順を示すフローチャートである。図３に示すように、ＲＦＩＤ処理部３は、制御部１０から書込み処理開始指示を受け（ステップＳ１４２）、ＲＦＩＤタグに電力供給を行なった後、ＲＦＩＤタグに対して書込み情報を送信する（ステップＳ１４４）。ＲＦＩＤ処理部３は、送信する情報量が多い場合には、複数回に分割して書込み情報を送信する。
【００４０】
次いで、ＲＦＩＤ処理部３は、書込み情報を送信してからＡＣＫ応答が返信されると予測される予測時間以内にＲＦＩＤタグから送信されるＡＣＫ応答を受信したか否かを判断する（ステップＳ１４６）。ＡＣＫ応答を受信しない場合には、書込み情報がＲＦＩＤタグに到達していない、または、ＲＦＩＤタグにおいて書込みエラーがあったものと考えられる。
【００４１】
したがって、ＲＦＩＤ処理部３は、ＡＣＫ応答を受信しない場合には（ステップＳ１４６：Ｎｏ）、ＲＦＩＤタグ１枚あたりに許容される書込み処理時間を超えているか否か、すなわちタイムアウトか否かを判断する（ステップＳ１５２）。ＲＦＩＤ処理部３は、タイムアウトでないと判断した場合には（ステップＳ１５２：Ｎｏ）、書込み処理時間内であるため、書込み情報の再送信を行い（ステップＳ１５４）、ＡＣＫ応答があるか否かを判断する（ステップＳ１４６）。一方、ＲＦＩＤ処理部３は、タイムアウトであると判断した場合には（ステップＳ１５２：Ｙｅｓ）、書込み情報の未到達およびＲＦＩＤタグにおける書込みエラーなどによって、処理完了期間内に書込み処理が終了しなかったものと判断し、その旨を制御部１０に送出する。そして、制御部１０は、ＲＦＩＤ処理部３からのエラー報告を受けて、表示部５に対してエラー表示を行なわせて（ステップＳ１５６）、書込み処理を終了する。
【００４２】
これに対し、ＲＦＩＤ処理部３は、ＡＣＫ応答を受信した場合には（ステップＳ１４８）、書込み情報を全て送信したかを判断する（ステップＳ１４８）。書込み情報を全て送信していないと判断した場合には（ステップＳ１４８：Ｎｏ）、ステップＳ１４４に戻り、書込み情報の送信を行なう。また、ＲＦＩＤ処理部３は、書込み情報を全て送信したと判断した場合には（ステップＳ１４８：Ｙｅｓ）、制御部１０に書込み処理が終了した旨を送出し、制御部１０は、表示部５に対して書込み処理完了を表示させて（ステップＳ１５０）、書込み処理を終了する。
【００４３】
つぎに、読取処理について説明する。図４は、読取処理を達成するまでの処理手順を示すフローチャートである。図４に示すように、ＲＦＩＤ処理部３は、制御部１０から読取処理開始指示を受け（ステップＳ１６２）、ＲＦＩＤタグに対して識別情報等の応答を要求する応答要求電波を送信する（ステップＳ１６４）。次いで、ＲＦＩＤ処理部３は、ＲＦＩＤタグから、応答要求電波を送信してから応答電波が返信されると予測される予測時間内に、識別情報等を含む応答電波を受信したか否かを判断する（ステップＳ１６６）。ＲＦＩＤ処理部３は、応答電波を受信していないと判断した場合には（ステップＳ１６６：Ｎｏ）、ＲＦＩＤタグ１枚あたりに許容される読取処理時間を超えているか否か、すなわち、タイムアウトか否かを判断する（ステップＳ１７２）。ＲＦＩＤ処理部３は、タイムアウトではないと判断した場合には（ステップＳ１７２：Ｎｏ）、読取処理時間内であるため、応答要求電波を再送信して（ステップＳ１７４）、ＲＦＩＤタグからの応答電波を受信したか否かを判断する（ステップＳ１６６）。一方、ＲＦＩＤ処理部３は、タイムアウトであると判断した場合には（ステップＳ１７２：Ｙｅｓ）、応答要求電波の未到達および情報装置１における読み取りエラーなどによって、読取処理時間内に読取処理が終了しなかったものと判断し、その旨を制御部１０に送出する。そして、制御部１０は、表示部５に対してエラー表示を行なわせて（ステップＳ１７６）、読取処理を終了する。
【００４４】
これに対して、ＲＦＩＤ処理部３は、応答電波を受信したと判断した場合には（ステップＳ１６６：Ｙｅｓ）、受信した応答電波を処理し、識別情報を制御部１０に送出する。そして、制御部１０は、記憶部４に識別情報等を記憶させる。そして、ＲＦＩＤ処理部３は、読取対象であるＲＦＩＤタグ全てに対して読取処理が完了したか否かを判断し（ステップＳ１６８）、読取処理を完了していないと判断した場合には（ステップＳ１６８：Ｎｏ）、ステップＳ１６４に戻り、応答要求電波を送信する。また、ＲＦＩＤ処理部３は、読取処理を完了したと判断した場合には（ステップＳ１６８：Ｙｅｓ）、制御部１０に読取処理の完了を送出し、制御部１０は、表示部５に対して読取処理完了を表示させ（ステップＳ１７０）、読取処理を終了する。
【００４５】
このように、実施の形態１では、判定部１０ａは、書込み処理および読取処理の処理開始が指示された場合、電圧検出部８が検出した二次電池７の端子電圧値Ｖｍと、書込み処理を開始してから完了するまでに要する閾値電圧値Ｖ1または読取処理が開始してから完了するまでに要する閾値電圧値Ｖ2とを比較して、書込み処理および読取処理を行なうことができるか否かを判定する。そして、制御部１０は、判定部１０ａが、指示された処理を行なうことが可能であると判定した場合に、ＲＦＩＤ処理部３に対して書込み処理または読取処理の開始を許可している。このため、情報装置１は、二次電池７の端子電圧値が指示された処理を行なうために十分である場合にのみ、書込み処理および読取処理を行なう。したがって、情報装置１では、供給電力の不足に起因する書込み処理および読取処理の異常処理を防止することができ、書込み処理および読取処理を正確に行なうことができる。特に、書込み処理においては、供給電力が不足した場合にＲＦＩＤ処理部３の動作異常によってＲＦＩＤタグに対して誤った情報を書込む場合があったが、情報装置１では、このようなＲＦＩＤタグに対する誤った情報の書込みを防止することも可能である。この結果、本実施の形態１にかかる情報装置１は、書込み処理および読取処理を正確に行なうことができるため、情報装置１を用いることによって、ＲＦＩＤタグが取り付けられた管理対象を正確に管理することが可能となる。
【００４６】
（実施の形態２）
つぎに、実施の形態２について説明する。実施の形態１では、電圧検出部８が検出した電圧値と所定の閾値電圧とを比較して読取処理および書込み処理が処理可能であるかを判定したが、本実施の形態２では、二次電池の端子電圧値が所定の閾値電圧に達した際に電圧検出部８から送信される検出信号をもとに読取処理および書込み処理が処理可能であるかを判定する。
【００４７】
図５は、本実施の形態２にかかる情報装置の概略構成を示すブロック図である。実施の形態２にかかる情報装置２１は、情報装置１と同様に、入力部２、ＲＦＩＤ処理部３、記憶部４、表示部５、音声入出力部６、二次電池７および外部通信部９を備える。また、情報装置２１は、判定部２０ａを有する制御部２０および電圧検出部２８をさらに備える。
【００４８】
電圧検出部２８は、二次電池７の端子電圧値を測定し、端子電圧値が閾値電圧値Ｖ1を下回ったときには、その旨を報知する検出信号Ｓ1を制御部２０に送出する。また、電圧検出部２８は、端子電圧値が閾値電圧値Ｖ2を下回ったときには、その旨を報知する検出信号Ｓ2を制御部２０に送出する。
【００４９】
判定部２０ａは、電圧検出部２８から検出信号Ｓ1，Ｓ2の受信の有無をもとに、書込み処理および読取処理が処理可能であるか否かを判定する。制御部２０は、制御部１０と同様の機能を備え、判定部２０ａの判定結果をもとに、書込み処理および読取処理が可能である場合には、ＲＦＩＤ処理部３に対して書込み処理および読取処理の開始を指示する。
【００５０】
つぎに、情報装置２１が行なう処理のうち、書込み処理および読取処理の処理手順について説明する。図６は、情報装置２１が読取処理および書込み処理を完了するまでの処理手順を示すフローチャートである。
【００５１】
図６に示すように、制御部２０は、入力部２から入力された指示情報をもとに、処理開始を指示された処理が書込み処理または読取処理であるか否かを判断する（ステップＳ２０２）。
【００５２】
制御部２０が開始を指示された処理が書込み処理であると判断した場合には（ステップＳ２０２：書込み処理）、判定部２０ａは、電圧検出部２８から検出信号Ｓ1を受信したか否かを判断する（ステップＳ２０４）。
【００５３】
判定部２０ａは、検出信号Ｓ1を受信しないと判断した場合には（ステップＳ２０４：Ｎｏ）、二次電池７の端子電圧値が閾値電圧値Ｖ1以上であると考えられるため、書込み処理可能と判定し（ステップＳ２０６）、その旨を制御部２０に送出する。そして、制御部２０は、ＲＦＩＤ処理部３に対して書込み処理を行なわせ、ＲＦＩＤ処理部３は、図３で説明した処理手順と同様の処理手順を行なって書込み処理を行なう（ステップＳ２０８）。
【００５４】
一方、判定部２０ａは、検出信号Ｓ1を受信したと判断した場合には（ステップＳ２０４：Ｙｅｓ）、二次電池７の端子電圧値が閾値電圧値Ｖ1を下回っていると考えられるため、書込み処理不可と判定し（ステップＳ２１０）、その旨を制御部２０に送出する。そして、制御部２０は、表示部５に対して、書込み処理不可である旨を表示させて（ステップＳ２１２）、処理制御を終了する。
【００５５】
また、制御部２０が、指示された処理は読取処理であると判断した場合には（ステップＳ２０２：読取処理）、判定部２０ａは、電圧検出部２８から検出信号Ｓ2を受信したか否かを判断する（ステップＳ２１４）。
【００５６】
判定部２０ａは、検出信号Ｓ2を受信しないと判断した場合には（ステップＳ２１４：Ｎｏ）、二次電池７の端子電圧値が閾値電圧値Ｖ2以上であると考えられるため、読取処理可能と判定し（ステップＳ２１６）、その旨を制御部２０に送出する。そして、制御部２０は、ＲＦＩＤ処理部３に対して読取処理を行なわせ、ＲＦＩＤ処理部３は、図４で説明した処理手順と同様の処理手順を行なって読取処理を行なう（ステップＳ２１８）。
【００５７】
一方、判定部２０ａは、検出信号Ｓ2を受信したと判断した場合には（ステップＳ２１４：Ｙｅｓ）、二次電池７の端子電圧値が閾値電圧値Ｖ2を下回っていると考えられるため、読取処理不可と判定し（ステップＳ２２０）、その旨を制御部２０に送出する。そして、制御部２０は、表示部５に対して、読取処理および書込み処理のＲＦＩＤ処理不可である旨を表示させて（ステップＳ２２２）、処理制御を終了する。
【００５８】
このように、本実施の形態２では、電圧検出部２８は、二次電池７の端子電圧値が閾値電圧値Ｖ1を下回ったときに検出信号Ｓ1を制御部２０に送信し、また、閾値電圧値Ｖ2を下回ったときに検出信号Ｓ2を制御部２０に送信する。そして、判定部２０ａは、検出信号Ｓ1，Ｓ2の受信の有無をもとに書込み処理および読取処理の処理が可能か否かを判定し、制御部２０は、判定部２０ａの判定結果に応じてＲＦＩＤ処理の開始をＲＦＩＤ処理部３に対して指示する。このため、本実施の形態２においても、実施の形態１と同様の効果を奏することが可能である。
【００５９】
また、実施の形態２では、電圧検出部２８は、二次電池７の端子電圧値が閾値電圧値を下回ったときに検出信号を送信しており、判定部２０ａは、この検出信号の有無をもとに開始を指示されたＲＦＩＤ処理を行なうことができるか否かを判定している。この結果、実施の形態２では、実施の形態１における電圧検出処理を省略することができるため、実施の形態１と比較し簡易な処理手順でＲＦＩＤ処理を行なうことができる。
【００６０】
（実施の形態３）
つぎに、実施の形態３について説明する。実施の形態１，２では、書込み処理または読取処理が指示された後、書込み処理および読取処理が可能であるか否かを判断していたが、実施の形態３では、処理可能である処理内容を判定した後に、書込み処理および読取処理の処理を受け付ける。
【００６１】
図７は、実施の形態３にかかる情報装置の概略構成を示すブロック図である。実施の形態３にかかる情報装置３１は、実施の形態１と同様に、入力部２、ＲＦＩＤ処理部３、記憶部４、音声入出力部６、二次電池７、電圧検出部８および外部通信部９を備える。また、情報装置３１は、表示部３５と、判定部３０ａを備えた制御部３０を備える。
【００６２】
判定部３０ａは、電圧検出部８によって検出された二次電池７の端子電圧値をもとに、書込み処理および読取処理を行なうことが可能であるか否かを判定し、制御部３０に判定結果を送出する。また、制御部３０は、制御部２０と同様の機能を備えるとともに、判定部３０ａの判定結果をもとに、受け付け可能である処理を表示部３５に表示出力させる。表示部３５は、表示部５と同様の機能を備えるとともに、制御部３０の制御のもと、受け付け可能である処理などの各種情報を表示出力する。
【００６３】
つぎに、情報装置３１が行なう処理のうち、情報装置３１の電源がオン状態とされてから、読取処理および書込み処理の指示入力に対する待機状態となるまでの処理手順について説明する。図８は、情報装置３１の電源がオン状態とされてから、読取処理および書込み処理の指示入力に対する待機状態となるまでの処理手順について示すフローチャートである。
【００６４】
情報装置１は、電源がオン状態とされた後、図８に示すように、制御部３０は、電圧検出部８に対して二次電池７の端子電圧値を検出させ、電圧検出部８は、二次電池７の端子電圧値を検出し（ステップＳ３０２）、検出した端子電圧値Ｖｍを制御部３０に送出する。次いで、判定部３０ａは、電圧検出部８から入力された端子電圧値Ｖｍと書込み処理を行なうことができる閾値電圧値Ｖ1とを比較し、Ｖｍ≧Ｖ1であるか否かを判断する（ステップＳ３０４）。
【００６５】
判定部３０ａは、Ｖｍ≧Ｖ1であると判断した場合には（ステップＳ３０４：Ｙｅｓ）、書込み処理および読取処理が可能であると判定する（ステップＳ３０６）。閾値電圧値Ｖ1は、読取処理を行なうことができる閾値電圧値Ｖ2よりも高い値であるため、端子電圧値Ｖｍが閾値電圧値Ｖ1よりも高い値である場合には、書込み処理および読取処理を行なうことが可能となる。そして、制御部３０は、判定結果３０ａの判定結果にもとづき、表示部３５に対して、書込み処理および読取処理を受付可能である旨を表示させて（ステップＳ３０８）、書込み処理および読取処理の処理受付に対する待機状態となる。
【００６６】
一方、判定部３０ａは、Ｖｍ≧Ｖ1でないと判断した場合には（ステップＳ３０４：Ｎｏ）、Ｖｍ≧Ｖ2であるか否かを判断する（ステップＳ３１０）。Ｖｍ≧Ｖ1でない場合、すなわち、端子電圧値Ｖｍが書込み処理を行なうことができる閾値電圧値Ｖ1に達していない場合には、つぎに、読取処理を行なうことができるか否かを判断する。
【００６７】
判定部３０ａは、Ｖｍ≧Ｖ2であると判断した場合には（ステップＳ３１０：Ｙｅｓ）、読取処理可能と判定し（ステップＳ３１２）、その旨を制御部３０に送出する。そして、制御部３０は、表示部３５に対して、読取処理を受付可能である旨を表示させて（ステップＳ３１４）、読取処理の処理受付に対する待機状態となる。
【００６８】
一方、判定部３０ａは、Ｖｍ≧Ｖ2でないと判断した場合（ステップＳ３１０：Ｎｏ）、すなわち、端子電圧値Ｖｍが閾値電圧値Ｖ2に達していないと判断した場合には、書込み処理および読取処理のＲＦＩＤ処理不可と判定し（ステップＳ３１６）、その旨を制御部３０に送出する。そして、制御部３０は、表示部３５に対して、ＲＦＩＤ処理受付不可を表示させる（ステップＳ３１８）。この場合、制御部３０は、表示部３５に対して、二次電池７に対する充電が必要である旨を表示させてもよい。
【００６９】
このように、実施の形態３にかかる情報装置３１は、電圧検出部８によって検出された二次電池７の端子電圧値をもとに、判定部３０ａが処理を行なうことができる処理内容を判定しているため、実施の形態１と同様の効果を奏することが可能である。また、実施の形態３では、電源がオン状態された後に、二次電池７の端子電圧を検出して、この端子電圧値によって処理可能であるＲＦＩＤ処理を判定し、その旨を表示出力する。このため、情報装置３１は、操作者に対して、処理を行なうことができるＲＦＩＤ処理の処理内容を容易に判別させることが可能である。
【００７０】
なお、実施の形態３として、制御部３０の制御によって二次電池７の端子電圧値を検出する電圧検出部８を備えた場合について説明したが、これに限らず、二次電池７の端子電圧値が閾値電圧値を下回った際に検出信号を制御部３０に対して送信する電圧検出部２８を備えてもよい。この場合、判定部３０ａは、閾値電圧値Ｖ1を下回ったときに送信される検出信号Ｓ1の受信の有無をもとに書込み処理が可能であるか否かを判定し、閾値電圧値Ｖ2を下回ったときに送信される検出信号Ｓ2の有無をもとに読取処理が可能であるか否かを判定する。
【００７１】
また、実施の形態１〜３では、予め設定された閾値電圧値Ｖ1，Ｖ2と二次電池７の端子電圧値Ｖｍとを比較して、処理可能であるＲＦＩＤ処理の内容を判定しているが、必ずしも閾値電圧値Ｖ1，Ｖ2を予め設定する必要はない。情報装置１，２１，３１は、情報装置１，２１，３１を前回使用した際における二次電池７の端子電圧値の変動履歴を保存しておき、この変動履歴から閾値電圧を設定してもよい。たとえば、情報装置１を前回使用した際に、二次電池７の端子電圧値が図９に示すような時間依存性を示した場合について説明する。前回の使用時において、充電終了時にＶ0であった端子電圧値がＶ3となった直後に急低下した場合には、判定部１０ａは、信頼性を高く要する処理、たとえば、書込み処理の可否の判断基準となる閾値電圧をＶ3と設定する。そして、判定部１０ａは、この閾値電圧値Ｖ3と端子電圧値Ｖｍとを比較して、書込み処理の可否を判断する。また、書込み処理と比較して信頼性が低い読取処理については、読取処理に必要である時間等を勘案して、読取処理の可否の判断基準となる閾値電圧値をたとえばＶ4と設定する。そして、判定部１０ａは、この閾値電圧値Ｖ4と端子電圧値Ｖｍとを比較して、読取処理の可否を判断する。
【００７２】
また、実施の形態１〜３における電圧検出部８，２８は、たとえば、二次電池７の端子電圧値を計測し、端子電圧値を制御部１０，２０，３０が処理可能である情報に変換して制御部１０，２０，３０に送出するアナログデジタル変換器でもよい。
【図面の簡単な説明】
【００７３】
【図１】実施の形態１にかかる情報装置の概略構成を示すブロック図である。
【図２】実施の形態１にかかる情報装置が書込み処理および読取処理を完了するまでの処理手順を示すフローチャートである。
【図３】図２に示す書込み処理を達成するまでの処理手順を示すフローチャートである。
【図４】図２に示す読取処理を達成するまでの処理手順を示すフローチャートである。
【図５】実施の形態２にかかる情報装置の概略構成を示すブロック図である。
【図６】実施の形態２にかかる情報装置が書込み処理および読取処理を完了するまでの処理手順を示すフローチャートである。
【図７】実施の形態３にかかる情報装置の概略構成を示すブロック図である。
【図８】実施の形態３にかかる情報装置が書込み処理または読取処理の処理受付に対する待機状態となるまでの処理手順を示すフローチャートである。
【図９】閾値電圧の設定を説明するための図である。
【図１０】従来の情報装置におけるＲＦＩＤタグに対する書込み情報の送信を説明する図である。
【符号の説明】
【００７４】
１、２１、３１  情報装置
２  入力部
３  ＲＦＩＤ処理部
３ａ  アンテナ
４  記憶部
５、３５  表示部
６  音声入出力部
７  二次電池
８、２８  電圧検出部
９  外部通信部
１０、２０、３０  制御部
１０ａ、２０ａ、３０ａ  判定部
【図１】
2005352767.tif 000003
【図２】
2005352767.tif 000004
【図３】
2005352767.tif 000005
【図４】
2005352767.tif 000006
【図５】
2005352767.tif 000007
【図６】
2005352767.tif 000008
【図７】
2005352767.tif 000009
【図８】
2005352767.tif 000010
【図９】
2005352767.tif 000011
【図１０】
2005352767.tif 000012